(57)【要約】      （修正有）【課題】耐久性に優れた壁を施工する。【解決手段】コンクリート壁、モルタル壁、木の壁、しっくいの壁、堤防、玄関の壁あるいは、内外用タイル、外装板、アルミ板、パルコ壁、浴室、土間の床組と天井の梁組、舗道、電車のガード下のコンクリート壁、トンネル内のコンクリート壁などの壁を施工する際に剛体製のカバーを用いて壁を覆うことで、施工後に壁中へ雨水が浸入して壁中の鉄筋へ錆が発生するのを防止し、壁の耐久性を向上させる。【選択図】    なし【特許請求の範囲】
【請求項１】
コンクリート壁、モルタル壁、木の壁、しっくいの壁、堤防、玄関の壁と土間の床組、アプローチの土間の剛体組、基礎、はば基、いぬばしり、屋根、瓦のもや組、テラス、バルコニー、車庫、家全体のひさし、スレート、トタン、内外装用タイル、外装板、アルミ板、サイジングペンキ、パルコ壁、浴室、土間の床組と天井の梁組、舗道、電車のガード下のコンクリート壁、トンネル、石垣の壁、石積み建築用コンクリートブロック、全体のブロック・煉瓦・石、梁、歩道、高速道路の下または通常の道路のガード下のトンネル内コンクリート牆壁と遮音壁とコンクリート縁石の高速道路側面、モルタル、コンクリートで仕上げてある防音の壁、ブロック煉瓦類を積み上げてある頭・傘を含む壁、プール、ビルディングまたは、土間を仕上げとして全体を総括製剛体製のカバーで覆うことを特徴とする全体の仕上げ施工方法
【請求項２】
剛体製のカバーを接着剤または長いビスと釘、瓦用ボルト（カクモン・タルキ）で屋根壁面に固定し、さらにカバー同士をＩ・Ｔ・Ｌ・Ｈ型の接合具を用いて合わせることを特徴とする請求項１記載の壁と面の施工方法
【請求項３】
総括に剛体製のカバーをつける際に隙間が大きすぎてコーキング・しっくいではおさまらない場合に、角・三角・四角・円形連体角度の使用することを特徴とする請求項１、請求項２記載の壁の施工方法
【請求項４】
総括に剛体製のカバーに換気空気を包んでブロック・煉瓦・木・基礎・浴室・橋（全体を含む）の中に押し込んで固定することを特徴とする請求項１、請求項２、請求項３記載の施工方法
【請求項５】
化粧ブロックの門柱に、もしくは総括全体に凹凸があるときに、目地・壁・基礎・土間・屋根の部分に金具を固定することを特徴とする全体の施工方法
【発明の詳細な説明】
【０００１】
【発明の属する技術分野】
本発明は、コンクリート、ブロックの保護を目的とする壁の剛体製のカバー施工方法に関するものである。
【０００２】
【従来の技術】
コンクリートの牆壁に特殊のペンキ（樹脂系）Ａ・Ｂをかくはん機で混ぜて２０分以内でそれを鏝で塗る。
高速道路の高架の下にコンクリート壁自体にヒビ・亀裂、鉄筋の錆が有り、コンクリートの壁をはつり、鉄筋の錆を直し、ボンド系のモルタルで、コンクリート壁を補修する。
コンクリートの壁を洗い、乾いてからペンキの下地を塗る。ペンキ（樹脂系）を塗る際に２０分以内に鏝塗りをする。
框の下（１０〜１５ｃｍ）からサッシ入口扉の下場までに土、山砂、ブロック、尺片  、コンクリートの尺片  、グリ、バラスを入れて、水を入れて付き、コンクリートもしくはモルタルでタイルの地をしてその上に張し目地をして仕上がりである。（現在は、サッシ下場横際のタイルをはつり、コーキングもしくは、接着剤を塗り、剛体製のカバーでビス止めする。）
【０００３】
【発明が解決しようとする課題】
しかし、このようになるのには前兆があり、そのときに対応していればこのようなことは起きなかったのかもしれない。しかしもっとも怖いのは、水がコンクリート、ブロックの中に染み込み鉄筋をさびらかせコンクリート壁、ブロック煉瓦の壁のモルタル中で爆裂し、コンクリート、ブロックの目地の部分からせり上げ、さらに放っておけばコンクリートの中の鉄筋から、もしくはブロック自身に亀裂が入り倒れ落ちることになる。もっと早くに補修もしくは修理をしていれば防ぎきれたかもしれない。
【０００４】
【課題を解決するための手段】
ここまで放っておくことなく本発明は、雨水・湿気・熱を防ぐためにコンクリート、ブロックに接着剤を塗り所々に離れさせてつけ、Ｍ剛体製のカバーをはり横と縦に継ぎ手になる目地（溝は差込になる）もしくはヒモ（目地）を入れてビスでとめることを特徴とする壁の施工方法
【０００５】
【発明の実施の形態】
本発明の実施例を添付図に基づいて説明します。
【０００６】
【実施例１】
図１は、化粧ブロックの門柱にブロック１段１段に（９）の凹凸に（２）を１段１段（６）で固定し、（６）で（１Ａ）をとめていく。このときに（１Ｋ）のＬ型を固定し（６）でとめておき、上から（１Ｂ）をかぶせて四方からと上から３本づつ（６）で固定し、（１Ｋ）を下からビス止めする。このときに（７）と（１Ｂ）との間に接着剤をつけてもよい。また、凹凸の無いブロックに直接ビス止めしても可能である。このときもブロックとＭ剛体製のカバーの間に接着剤をつけてもよい。
図２は（１Ａ）のＭ剛体製のカバーに対し門柱の壁に（１）を貼り終えた際に（１６）の部分があまりにも隙間が大きくあいていたときにコーキングでは対応しきれなかった時に（１Ｄ）を使用する。（３）の部分を切るには（１）に印を付け、その寸法を測り１部分を切って上から（１）をはめ込み表札の周りに（１７）をする。ブロックの壁（９）と横のタイル上に対し、Ｍ剛体製のカバーをはっていく際に、後から入れる換気スカシ（１Ｆ）の分を四角に切っておく。そこで（１Ｆ）は上からはめ込んで（６）でとめる。その際に、このままでもよいのだが必要に応じて（１Ｆア）を使用することもできる。（９）に入っていく際につなぎ目に対して（１７）もしくは（１８）をする。これらが（１）のコングリート、ブロックの壁の施工方法である。
図３は（９）に（２２）を塗って２〜３ｃｍ下を出してやり（１２）、その上にかけおとし人造の洗い出しもしくはモルタルを刷毛引きし、おさえ、仕上げ（２２）をしてからその上にペンキ等を吹き付けておく。これに対し横型の（１）を打ち下からはっていく際に（１２）の１段目の境に２〜３ｃｍぐらいの段差がありこれに対し、Ｍ剛体製のカバー（１Ｇ）を使用して（６）で固定する。その際にＭ剛体製のカバー（１）の壁に対し（６）もしくは（１３）を使用しても良い。それと（１Ｈ）は必要に応じて使用する。なお（１４）・（１９）も同様である。
図４は（９）に横に書いた図である。上の図３で述べた通りでありますが、以下に多少説明をします。
（１１）に対し、上から（１Ｈ）を乗せて縦と横にビス止めしたしに（１９）をとめておくと、風・台風などの際に最も良い効果が出る。
（１Ｊ）を固定するにいたっては縦・横・下からビス止めをする。これは、きちんと固定される。それに（９）の（１Ｆ）にはいろいろな種類があり、特に（１Ｆア）は表にはめるのが主流だが、ブロックの中に入れ込んで、表・裏にもはめるときに対し（１Ｆア）を取り付け、使用することを特徴とする。図１〜図４までをＭ剛体製のカバーのコンクリート、ブロック施工方法である。
【０００７】
【実施例２】
基礎、はば基、いぬばしり、テラスの場合の基礎組では、土を均し、ぐり、バラスを入れて突き、鉄筋を入れて四角にしてコンパネル鉄のパネル足場板木板で枠組みをする際にコンパネル、鉄のパネル足場板木板に剛体製のカバーをはめこんで、コンクリートを打つ際に鉄筋を上にあげておき、コンクリートを打ち鉄筋から６ｃｍずつ墨を打ち、厚さ１２０ｍの基礎から面の壁に剛体製のカバーをはめておき基礎の枠に側してコンクリートを流し入れる。
１．基礎のはばきに対し、直接に接着剤を塗り、釘、ビス止めする。
２．いぬばしりに対し、少し土を除き清掃して直接に接着剤を塗り釘、ビス止めする。
３．テラスも一緒である。枠を組立てる際に対し前もって入れておくブロックの場合はブロックを天井天場を仕上げた後に釘、ビス止めする。
【０００８】
【実施例３】
玄関の壁と土間の床組、堤防、アプローチの土間と車庫の土間の剛体組、基礎、はばき、犬ばしり、道路、舗道、高速道路のコンクリートの壁、土間、コンクリート牆壁、コンクリート遮音壁、高覧コンクリート壁、コンクリート縁石に対しコンクリートが凸凹がなくとうりがとうっている際は接着剤を塗り、ビス止めをするだけでよい。それに木壁しっくい壁にはこれも同じく釘が錆びて板がななめになっている際に、板を直し釘を打ちしっくい壁も同じく補修をしてその上からビス止めをする。それを玄関壁と土間の床組も同じで玄関のコンクリート壁に接着剤を塗り剛体製のカバーを張り、１ｃｍ以上の凸凹ある時には中にステンレス製のＩ型を入れ、こずりもしくはコンクリート壁に横に木を２本はわせてコンクリート釘で打ちその上からコンクリート壁モルタル壁に直接に接着剤を塗りビス止めする。
コンクリート壁、モルタル壁に凸凹がある時にはＩ型の結合具を中に入れ剛体製のカバーで覆う。これはコンクリートモルタルブロック（建築）レンガ類に仕上げをする事である。（水、湿気、太陽などを遮断するものである。）
【０００９】
【実施例４】
コンクリートの壁、モルタル壁、ブロック煉瓦に直接壁に接着剤を塗りビス止めする。これにコンクリートモルタル煉瓦類に凸凹どおりに合わせる時には、Ｉ型の結合具を中に入れ剛体製のカバーで覆う。これはコンクリート、モルタル、建築ブロック、レンガ類に仕上げをすることである。（水、湿気、太陽などを遮断するもので、コンクリートモルタルブロックレンガに打つてある仕上げる物で総ての物をいう。）
１．アスファルトメタルラスモルタル塗り、アスファルト石綿ルーフィンクセメント板張り、波形板張り、金属板張り、平型みぞを直接に接着剤を塗り、釘ビス止めする。
【００１０】
【実施例５】
高速道路の橋、新幹線の橋、トンネルもしくは、下の高架（圧縮生コンクリートワイヤメッシュを含む）コンクリート全体を云う。
高速道路の防音のＨ形鉄骨の中にはめこむコンクリートに剛体製のカバーを覆う。高速道路の下高架トンネル遮音壁、高覧コンクリート壁に高さ４ｍ２０ｃｍ位に剛体製のカバーを覆い、カバーの上に圧縮ポンプのホースを繋ぎ樹脂系のペンキを入れ込み、乾いてから残りの壁を天井を覆うか塗る。
【００１１】
【実施例６】
玄関のポーチをする際に、入口のサッシの仕上げ天点場から２ｍ離れて３．５ｃｍの勾配をつけブロックに固定具を付け中敷き間仕切りを入れてブロックを積み、剛体製のカバ−で覆い、接着剤を塗りビスで止める。
玄関の庭、ポ−チ道に土をならし３０ｃｍ真四角に穴を掘り、その真中に木の杭を打ち込み、モルタルコンクリートでかためて、その上から剛体製のカバーで覆いビスで止める。
道そのものがきれいになっている時は、モルタルコンクリートでかためないでそのまま長いビスで止める。
ブロックの壁をする際に、ブロックの間にフェンスが有り、このフェンスをなくし固定具にカバーをビス止めし、固定具とカバーの中にいろんな物を入れ込む。
【００１２】
【実施例７】
玄関の内部で床組をする際、大引をはわせる時に下のツカ柱を据える際に全体を木材だけでするのではなく、ブロックでもツカ柱の代りに使用してもよい。その横を大引を固定する際に長いアンカでも可能である。
それに６０（Ａ）は玄関、サッシ入口の扉を開けた正面の図で框の下（１０〜１５ｃｍ）に木を打ち、その上にバス板とルーフィングを打ち、その上に剛体製のカバーをビス止めし、框の下場で水平に見切りを打ち、見切りの下場は基礎のコンクリート壁が見えており、それに接着剤を塗り剛体製のカバーをビス止めする。框の下（１０〜１５ｃｍ）とサッシ入口、扉の下に勾配をつけ、床組をし、床と壁際にコーキングを入れる。これはフロ場との床組と同じである。
【００１３】
【実施例８】
玄関の外部で床組（ポーチ組）
これは内部の床組と同じく、床は木材で全体を作ってもよいが、それにブロックを積む際に固定具を使用してもよい。床組の６１（Ａ）はブロックの上にバス板を打ち、その上にルーフィンクを張り、その上に剛体製のカバーをビス・釘止めする。６１（Ｂ）は従来の方法は、土、バラス、グリを入れてつき、コンクリート、モルタルでタイル地を作り、その上にタイルを張って目地をする。その上に接着剤を塗り、剛体製のカバーを、ビス・釘止めする。６１（Ｃ）は固定具で、ブロックを積んでその上に釣針型の金具でつり、その上にコンクリート板をねせ、その上にコンクリートもしくはモルタルで地をして、その上に剛体製のカバーをビス・釘止めする。これは床組の床の点・天場と壁に張り接着剤を塗り、釘・ビス止めする物である。
【００１４】
【実施例９】
一般・高速道路のコンクリート牆壁に接着剤を塗り、剛体製のカバーを張り、釘・ビス止めする。橋、トンネル、車庫の土間と壁、石垣の壁、石積み、建築用コンクリートブロック、ブロック、煉瓦、石梁、遮音壁、歩道、舗道、コンクリート縁石、アスファルトにも使用している。従来は、コンクリートの牆壁、橋トンネルなどには、ペンキをぬる。
【００１５】
【実施例１０】
屋根板、バス板には、ルーフィングを張り、玄関の屋根には銅板が仕上げてあり、大縁・縁側の屋根には銅板が仕上げてある。トタン板の場合には、デベソ（デッパリ）が出ているのでそれをサンダで切り、コーキングで補修しトタン板・銅板に接着剤を塗り、剛体製のカバーを釘・ビス止めする。従来は屋根の上に瓦が伏せてある。
【００１６】
【実施例１１】
玄関の外部で床組（ポーチ組）
これは内部の床組と同じく、床は木材で全体を作ってもよいが、それにブロックで積む際に固定具を使用してもよい。床組の６１（Ａ）はブロックの上にバス板を打ち、その上にルーフィングを張り、その上に剛体製のカバーをビス・釘止めする。６１（Ｂ）は従来の方法は、土、バラス、グリを入れてつき、コンクリートモルタルでタイル地を作りその上にタイルを張って目地する。その上に接着剤を塗り、剛体製のカバーをビス・釘止めする。６１（Ｃ）は固定具で、ブロックを積んでその上に釣針型の金具でつり、その上にコンクリート板をねせ、その上にコンクリートもしくは、モルタルで地をして、その上に剛体製のカバーをビス・釘止めする。これは、床組の床の点・天場と壁に張り接着剤を塗り、釘・ビス止めする物である。
【００１７】
【発明の効果】
積んであるブロック、コンクリート、モルタルささ子下見板張り、立て羽目板張り、金属板張り、波形板張り、石綿セメント板張り、モルタル塗り、よろい下見板張り、箱目地下見板張り、押し縁下見板張り、しっくい、タイル、トタン板、スレート、色々含む汚れが付かなくなり、そのままの状態で腐食もなく数年、もしくは十数年は可能である。
【図面の簡単な説明】
【図１】施工途中の状態を示した図である。
【図２】施工された壁の正面図である。
【図３】施工された壁の正面図である。
【図４】組み立て手順を説明する図である。
【図５】基礎を上から見た図
【図６】家を剛体製のカバーで仕上げた正面図
【図７】家の基礎、いぬばしりなどが仕上げてある横のテラスにブロックトと土、山砂、バラス、グリ、鉄筋コンクリートの上に剛体製のカバーをビス止めしている側面図
【図８】家、基礎、いぬばしり際に枠の横に足場を入れ、その横際に剛体製のカバーを嵌め込みコンクリートで充たし天点場に張って仕上げた側面図
【図９】基礎、いぬばしりと角にカバーを嵌め、換気を嵌めた側面図
【図１０】フロ場の壁組で柱と柱の中に間柱を入れ、その上にバス板、ルーフィングかフェルト、ラスカットもしくは、ゴウ板、アルミ板、剛体製のカバーである床組のツカ柱の上に大引と根太、バス板かゴウ板、フェルトかルーフィング、ラスカットかアルミ板、剛体製のカバーである断面図
【図１１】玄関の内部は木材だけではなく、ブロック、ケイテンのアルミ材固定具でも使用できる正面図
【図１２】玄関の外部で、内部と同じく構造をしている外部の床組（フロ組と同じ）である側面図
【図１３】玄関の内部、外部の断面図
【図１４】テラスのコンクリート、仕上げてある車庫とブロックの上から剛体製のカバーを接着剤を塗りビス止めする側面図
【図１５】家の庭、車庫と勝手口の階段にカバーを接着剤を塗りビス止めした上から見た図
【図１６】家の周辺に土、石、バラスなどが敷き詰めてあり、その中に枠を打ち剛体製のカバーで仕上げる正面図
【図１７】高速道路と一般道路にコンクリート遮音壁、コンクリート高覧壁、コンクリート縁石、地覆、これに剛体製のカバーで覆う  一部仕上げてある側面図
【図１８】家の外部のしっくいと、ささら子下見板張り、箱目地下見板張り、よろい下見板張り、押し縁、下見板張り、立て目板張り、モルタル塗り、波形板張りの仕上げた一部である正面図
【図１９】家の屋根板、玄関、テラス、家のひさし全体を剛体製のカバーで覆い、接着剤を塗りビス止めする。家の一部は仕上げてある正面図
【図２０】高速道路、一般道路の中央線の一部で、コンクイリート縁石と歩道に剛体製のカバーで仕上げた正面図
【図２１】高速道路、一般道路のトンネル内にコンクリートの上にパッキンを嵌め、剛体製のカバーをビス止めし、空気圧搾器で特殊ペンキを入れこむ側面図
【符号の説明】
１      Ｌ字型の固定具
１Ａ    Ｌ字の壁体門柱用カバー
１Ｂ    四型の傘カバー
１Ｃ    壁にはるカバー
１Ｄ    門柱の角のＬ字型用カバー
１Ｅ    むね瓦のカバー
１Ｆ    スカシのブロック用カバー
１Ｆａ  三つ葉型のカバー
１Ｇ    曲がり型用のカバー
１Ｊ    鬼瓦にはめる傘のカバー
１Ｋ    傘の下の部分のＬ字型のカバー
１Ｌ    ブロックの傘のカバー
２      門柱に固定する金具
２ａ    Ｌ字型とテンバに固定して積み上げる固定具
３      表札
３ａ    ブロックの穴に固定する輪もしくは棒
４      ブロックの目地
４ａ    ブロックの穴に固定する丸い輪かゴム
５      ブロックの傘
５ａ    足を調整する杭
６      ビス
６ａ    長いビス
７      門柱の傘
７ａ    水ホースドラム  クァホス
８      ビスの穴
８ａ    ビスの穴足を調節する杭
９      ブロックの壁
９ａ    ブロック
１０    ブロックのスカシ
１０ａ  コ字型固定具
１１    むね瓦
１１ａ  コ字型固定具を固定する蝶番
１２    一段一段の境（２〜３ｃｍくらい）
１２ａ  角型固定具、Ｌ字型固定具
１３    かさぐり（ビョウ）
１３ａ  鉄筋
１４    鬼瓦
１４ａ  糸
１５    グリ
１６    門柱の角
１６ａ  バス板
１７    コーキング
１７ａ  木杭
１８    つぎ目の目地棒
１８ａ  クギ
１９    コの字型パッキン（カバーの押え）
２０    接着剤
２０ａ  土
２１    コンクリート
２２    モルタル
２２ａ  杭の板
２３    フェンス
２４    糸を固定する溝
２５    鉄柱
２６    アンカボルト
２７    基礎のコンクリート壁
２８    基礎のいぬばしり
２９    けっそくせん
３０    石（少）バラス
３１    ベンソウの蓋
３２    換気
３２ａ  床換気
３３    プロパンガス
３４    下水の蓋
３５    カーポート
３６    穴
３７    木
３８    アルミ板
３９    ラスカット
４０    合板
４１    ボウフ材
４２    大引
４３    ツカ柱
４４    玄関の入口サッシ
４５    パイプＶＵ
４６    防水
４７    フェルト
４８    ルフイング
４９    アルミサッシ
５０    角面モルタル塗り
５１    クレオソゥト
【図１】
2004308211.tif 000002
【図２】
2004308211.tif 000003
【図３】
2004308211.tif 000004
【図４】
2004308211.tif 000005
【図５】
2004308211.tif 000006
【図６】
2004308211.tif 000007
【図７】
2004308211.tif 000008
【図８】
2004308211.tif 000009
【図９】
2004308211.tif 000010
【図１０】
2004308211.tif 000011
【図１１】
2004308211.tif 000012
【図１２】
2004308211.tif 000013
【図１３】
2004308211.tif 000014
【図１４】
2004308211.tif 000015
【図１５】
2004308211.tif 000016
【図１６】
2004308211.tif 000017
【図１７】
2004308211.tif 000018
【図１８】
2004308211.tif 000019
【図１９】
2004308211.tif 000020
【図２０】
2004308211.tif 000021
【図２１】
2004308211.tif 000022